(57)【要約】【課題】来訪者が不快感を受けることがなく、安全に子機側から離れることのできるインターホンシステムを提供する。【解決手段】インターホンシステム１は、来訪者を照明する光源６および来訪者の周囲の明るさが所定値以下のときに光源６を点灯させる点灯制御手段７を有するインターホン子機２と、来訪者との間で応対者が通話する通話手段３６、通話手段３６による通話の終了から所定時間後に光源６を消灯させるように点灯制御手段７を制御する主制御手段２２を有するインターホン親機３と、インターホン子機２およびインターホン親機３を電気的に接続する伝送線４とを具備している。【選択図】図２
2008011338.tif 000002
【特許請求の範囲】
【請求項１】
来訪者を撮像する撮像手段、来訪者を照明する光源および来訪者の周囲の明るさが所定値以下のときに前記光源を点灯させる点灯制御手段を有するインターホン子機と；
前記撮像手段により撮像された映像を表示するモニター手段、スピーカおよびマイクロホンを有してなり来訪者との間で応対者が通話する通話手段、この通話手段による通話の終了から所定時間後に前記光源を消灯させるように前記点灯制御手段を制御する主制御手段を有するインターホン親機と；
インターホン子機およびインターホン親機を電気的に接続する伝送線と；
を具備していることを特徴とするインターホンシステム。
【請求項２】
光源は、来訪者に対して上向き方向および下向き方向にそれぞれ照射する少なくとも２個を有してなり、前記通話手段による通話の終了後に調光点灯され、所定時間後に消灯されることを特徴とする請求項１記載のインターホンシステム。
【請求項３】
インターホン親機は、インターホン子機に前記伝送線を介して電源を供給する電源供給回路を備えており、主制御手段は、前記所定時間後に前記伝送線への電源供給回路からの電源供給を停止させることを特徴とする請求項１または２記載のインターホンシステム。
【請求項４】
モニター手段は、前記所定時間内において、前記撮像手段により撮像された映像を表示するように構成されていることを特徴とする請求項１ないし３いずれか一記載のインターホンシステム。
【発明の詳細な説明】
【技術分野】
【０００１】
本発明は、来訪者の映像がモニターに表示されるインターホンシステムに関する。
【背景技術】
【０００２】
テレビインターホンシステムは、例えば玄関に設けられた子機での来訪者の呼び出し操作に応じて、来訪者の映像を住戸内の親機のモニターに表示し、来訪者と住戸内の応対者との通話を行うものである。そして、夜間の来訪者を撮影するために可視光の照明光源を具備するテレビインターホンシステムが提案されている（特許文献１参照。）。この従来技術のテレビインターホンシステムは、時間とともに徐々に光量が増加するように照明光源を点灯させるので、夜間の来訪者に照明による不快感を与えることが防止されるというものである。
【特許文献１】特開２００５−７３０６０号公報（第４−５頁、第１図）
【発明の開示】
【発明が解決しようとする課題】
【０００３】
特許文献１のテレビインターホンシステムは、来訪者と応対者との通話が終了して通話回路が遮断されると、これに伴って照明光源が消灯されるので、来訪者の周囲が急に暗くなり、来訪者に不快感を与えることがある。また、暗くなった状態に目が慣れていない状態で、例えば玄関から住戸の敷地の外に向かって歩くと、足元が非常に見えづらく、転倒などの危険性を伴うことがあった。
【０００４】
本発明は、来訪者が不快感を受けることがなく、安全に子機側から離れることのできるインターホンシステムを提供することを目的とする。
【課題を解決するための手段】
【０００５】
請求項１に記載のインターホンシステムの発明は、来訪者を撮像する撮像手段、来訪者を照明する光源および来訪者の周囲の明るさが所定値以下のときに前記光源を点灯させる点灯制御手段を有するインターホン子機と；前記撮像手段により撮像された映像を表示するモニター手段、スピーカおよびマイクロホンを有してなり来訪者との間で応対者が通話する通話手段、この通話手段による通話の終了から所定時間後に前記光源を消灯させるように前記点灯制御手段を制御する主制御手段を有するインターホン親機と；インターホン子機およびインターホン親機を電気的に接続する伝送線と；を具備していることを特徴とする。
【０００６】
本発明および以下の各発明において、特に言及しない限り、各構成は以下による。
【０００７】
来訪者の周囲の明るさは、例えば光センサ（照度センサ）により検出することができる。そして、「来訪者の周囲の明るさが所定値以下」とは、当該明るさで撮像された来訪者をモニター手段に表示させた映像で明確に確認することができないことを意味する。来訪者の周囲の明るさが所定値以下のときに光源が点灯されることにより、モニター手段に表示された映像で、来訪者の状態を明確に確認することができる。
【０００８】
「所定時間」とは、来訪者と応対者との通話の終了後、来訪者が次の動作に移れて住戸の敷地外に移動できる時間であればよく、例えば３０秒である。
【０００９】
所定時間後の光源の消灯は、即時消灯またはフェードアウトによる消灯のいずれであってもよい。
【００１０】
「通話手段による通話の終了」は、スピーカおよびマイクロホンを有するハンドセットのリセット、応対者による通話終了のフック操作などの他、通話が所定時間に亘って途切れた場合であってもよい。
【００１１】
伝送線は、撮像手段が撮像した映像信号をモニター手段に伝送し、来訪者および応対者の通話の通話信号を伝送し、主制御手段が点灯制御手段を制御する制御信号や電源電圧を伝送するものである。
【００１２】
本発明によれば、来訪者と応対者との通話が終了すると、これに応じて主制御手段が点灯制御手段を制御することにより、インターホン子機の光源が所定時間に亘って点灯を継続する。当該所定時間において、来訪者がインターホン子機側から離れるときに、光源からの照明光が周囲を照らし、一部の照明光により、来訪者は足元側が見えるようになる。
【００１３】
請求項２に記載のインターホンシステムの発明は、請求項１記載のインターホンシステムにおいて、光源は、来訪者に対して上向き方向および下向き方向にそれぞれ照射する少なくとも２個を有してなり、前記通話手段による通話の終了後に調光点灯され、所定時間後に消灯されることを特徴とする。
【００１４】
光源は、通話の終了後に調光点灯例えば全光（１００％）時の３０％に減光された後、通話の終了から所定時間後に消灯される。消灯は、即時消灯またはフェードアウトのいずれであってもよい。
【００１５】
本発明によれば、上向き方向に照射される光源からの照明光により来訪者の顔面側が照明され、カメラにより来訪者の顔面が明確に撮像されやすくなり、下向き方向に照射される光源からの照明光により、来訪者は、インターホン子機側から離れるときに足元側を見ることができる。そして、通話手段による通話の終了後に光源が調光点灯されることにより、来訪者に対して、通話が終了しても光源が点灯していることに対する違和感や不快感などを与えることが抑制される。
【００１６】
請求項３に記載のインターホンシステムの発明は、請求項１または２記載のインターホンシステムにおいて、インターホン親機は、インターホン子機に前記伝送線を介して電源を供給する電源供給回路を備えており、主制御手段は、前記所定時間後に前記伝送線への電源供給回路からの電源供給を停止させることを特徴とする。
【００１７】
本発明によれば、電源供給回路から伝送線に電源供給されなくなると、インターホン子機に電源が供給されなくなる。したがって、通話手段による通話の終了から所定時間後に伝送線への電源供給回路からの電源供給を停止させることにより、光源は消灯する。
【００１８】
請求項４に記載のインターホンシステムの発明は、請求項１ないし３いずれか一記載のインターホンシステムにおいて、モニター手段は、前記所定時間内において、前記撮像手段により撮像された映像を表示するように構成されていることを特徴とする。
【００１９】
本発明によれば、通話手段による通話が終了しても、所定時間内において、モニター手段で撮像手段により撮像された映像を視認することができる。
【発明の効果】
【００２０】
請求項１の発明によれば、来訪者および応対者の通話の終了後、所定時間に亘ってインターホン子機の光源が点灯し、光源からの照明光が周囲を照らすので、来訪者は、足元側も見えるようになり、周囲が暗い状態であっても、転倒などをすることなく安全にインターホン子機側から離れることができる。また、通話の終了と同時に光源が消灯しないので、通話の終了時に不快感が生じることを抑制することができる。
【００２１】
請求項２の発明によれば、来訪者は、上向き方向に照射される光源からの照明光により照射されてカメラにより撮像されるので、応対者がモニター手段に表示する来訪者を明確に確認することができるとともに、来訪者は、下向き方向に照射される光源からの照明光により自身の足元側を見ることができるので、転倒などすることなく安全にインターホン子機側から離れるように移動することができる。また、通話の終了後に光源が調光点灯されることにより、来訪者に対して、通話が終了しても光源が点灯していることに対する違和感や不快感などを与えることを抑制することができる。
【００２２】
請求項３の発明によれば、来訪者および応対者の通話の終了から所定時間後に伝送線への電源供給回路からの電源供給を停止することにより光源を消灯させることができるので、光源を前記所定時間後に消灯させるための回路構成を簡素にすることができて、インターホンシステムを安価に形成することができる。
【００２３】
請求項４の発明によれば、来訪者および応対者の通話の終了後、所定時間に亘って撮像手段により撮像された映像がモニター手段に表示されるので、通話終了後の所定期間に亘って、インターホン子機での来訪者の存在を確認することができ、来訪者に対する安全性を向上させることができる。
【発明を実施するための最良の形態】
【００２４】
以下、本発明の一実施の形態について、図面を参照して説明する。まず、本発明の第１の実施形態について説明する。
【００２５】
図１は、本発明の第１の実施形態を示すインターホンシステムの概略構成図、図２は、同じくインターホンシステムの回路構成の概略ブロック図である。
【００２６】
図１において、インターホンシステム１は、インターホン子機２、インターホン親機３および伝送線４を有して構成されている。インターホン子機２とインターホン親機３とは、２線の伝送線４を介して電気的に接続されている。
【００２７】
インターホン子機２は、例えば玄関に設置され、図２に示すように、撮像手段としてのカメラ５、光源６，６、点灯回路７、光センサ８、呼出しボタン９、制御回路１０、マイクロホン１１およびスピーカ１２などを有して形成されている。そして、カメラ５、光源６および光センサ８は、図１に示すように、表面２ａのカメラ窓部１３に臨むようにして設けられ、呼出しボタン９は、表面２ａに露出して設けられている。また、マイクロホン１１およびスピーカ１２が表面２ａに臨むようにして設けられている。点灯回路７および制御回路１０などの残余の構成部は、インターホン子機２の内部に設けられている。
【００２８】
図２において、カメラ５は、来訪者を撮像する。そして、当該撮像された映像信号は、信号重畳回路１４を介して子機側端子Ｔ１から伝送線４に出力される。
【００２９】
光源６，６は、それぞれ基板（図示しない。）に実装された可視光を放射する発光ダイオード（ＬＥＤ）からなり、２個が同時に点灯回路７によって点灯される。そして、一方の光源６Ａは、来訪者に対して上向き方向に照射されるように基板に配置され、他方の光源６Ｂは、来訪者に対して下向き方向に照射されるように基板に配置されている。光源６Ａ，６Ｂは、図示しない拡散板を介して前記カメラ窓部１３に臨むようにしている。来訪者は、主として光源６Ａからの照明光により顔面側が照射され、主として光源６Ｂからの照明光により、インターホン子機２側から離れるときの足元側を見ることができる。そして、点灯回路７は、スイッチ（ＳＷ）回路１５を介して電源受電回路１６に接続されている。なお、光源６は、上記光源６Ａ，６Ｂに、さらに別の可視光を放射する発光ダイオード（ＬＥＤ）を加えて構成してもよい。
【００３０】
電源受電回路１６は、子機側端子Ｔ１に接続されている。そして、インターホン親機３から伝送線４を介して供給される直流電源を給電し、電圧調整した直流電圧をＳＷ回路１５に出力するように形成されている。
【００３１】
ＳＷ回路１５は、制御回路１０に接続されており、制御回路１０の制御に応じて電源受電回路１６からの直流電圧を点灯回路７に供給する。これにより、点灯回路７は、光源（発光ダイオード）６を点灯させる。また、ＳＷ回路１５は、カメラ電源回路１７に接続され、制御回路１０の制御に応じて電源受電回路１６からの直流電圧をカメラ電源回路１７に供給する。カメラ電源回路１７は、電圧調整をして調整電圧をカメラ５に供給し、カメラ５を駆動させる。これにより、カメラ５は、来訪者などを撮像する。
【００３２】
光センサ８は、インターホン子機２に対向して位置する来訪者の周囲の明るさを検出する。そして、光センサ８は、制御回路１０に接続されている。制御回路１０は、光センサ８が検出した明るさを演算処理し、当該明るさが所定値以下のときにＳＷ回路１５を制御し、点灯回路７によって光源６を点灯させるように形成されている。そして、当該明るさが所定値を上回るときには、カメラ５を駆動させるようにＳＷ回路１５を制御しても、光源６を点灯させないように形成されている。点灯回路７、光センサ８、制御回路１０、ＳＷ回路１５および電源受電回路１６は、来訪者の周囲の明るさが所定値以下のときに光源６を点灯させる点灯制御手段を形成している。
【００３３】
呼出しボタン９は、制御回路１０に接続されている。制御回路１０は、子機側端子Ｔ１に接続されて伝送線４に接続されている。来訪者により呼出しボタン９が押圧されると、制御回路１０は、伝送線４を介してインターホン親機３に呼出音の呼出信号を伝送するように形成されている。
【００３４】
制御回路１０は、図示しない内部電源を具備しており、呼出しボタン９の押圧操作に対して動作可能となっている。すなわち、呼出しボタン９が押圧されると伝送線４に前記呼出信号を伝送する。内部電源は、電源受電回路１６に伝送線４を介して直流電圧が供給されているときに、電源受電回路１６により充電可能となっている。
【００３５】
マイクロホン１１およびスピーカ１２は、通話回路１８に接続されている。この通話回路１８は、子機側端子Ｔ１に接続されて伝送線４に接続されている。そして、通話回路１８は、マイクロホン１１が集音した来訪者（訪問者）の音声を音声信号に変換して伝送線４を介してインターホン親機３に伝送する。また、通話回路１８は、伝送線４を介してインターホン親機３から伝送されてくる応対者（在宅者）の音声信号を音声に変換してスピーカ１２により発音させる。インターホン子機２のマイクロホン１１およびスピーカ１２と、インターホン親機３の後述のハンドセット２０のマイクロホン３５およびスピーカ３４との間で来訪者および応対者の通話が行われる。
【００３６】
上述したように、インターホン子機２は構成されている。そして、インターホン親機３は、例えば台所付近に設置され、モニター手段を構成するテレビモニター１９、通話手段を構成するハンドセット２０、ハンドセット検出回路２１、主制御手段としての主制御回路２２などを有して形成されている。
【００３７】
インターホン親機３は、図１に示すように、親機本体２３の前面２３ａにハンドセット２０が配置され、テレビモニター１９のモニター画面１９ａが露出して設けられ、さらにモニターボタン２４および逆光補正ボタン２５が設けられている。また、ハンドセット２０の下側の前面２３ａには、図示しないフックスイッチ２６およびスピーカ２７が設けられている。フックスイッチ２６は、ハンドセット２０の親機本体２３への着脱を検出させるものである。スピーカ２７は、インターホン子機２からの呼出音を発音するものである。
【００３８】
また、親機本体２３の前面２３ａには、図示しない電源モニター、親機本体２３の側面２３ｂには、いずれも図示しないモニター画面１９ａのコントラストを調整するコントラスト調整つまみや明るさを調整するブライト調整つまみ、呼出音の音量を調整する呼出音量調整つまみが設けられている。そして、親機本体２３内には、基板に配設された回路部品など、その他の構成部が収納されている。
【００３９】
図２において、テレビモニター１９は、信号分解回路２８および映像処理回路２９を介して親機側端子Ｔ２に接続されている。信号分解回路２８および映像処理回路２９は、インターホン子機２のカメラ５により撮像され伝送線４を介して伝送されてきた映像信号を画像処理し、モニター画面１９ａに表示させる映像信号に変換する。
【００４０】
また、テレビモニター１９は、モニター電源回路３０に接続され、モニター電源回路３０から駆動電源が供給される。モニター電源回路３０は、リレー接点３１を介して電源供給回路３２に接続されている。電源供給回路３２は、商用交流電源Ｖｓの交流電圧を所定の直流電圧に変換している。
【００４１】
親機本体２３の前面２３ａに設けられているモニターボタン２４は、主制御回路２２に接続されている。モニターボタン２４がオン操作されると、主制御回路２２は、自身の内部に設けられているリレーコイル（図示しない。）を付勢する。これにより、リレー接点３１が閉じて、モニター電源回路３０は、電源供給回路３２から直流電源が供給され、直流電圧を調整して、テレビモニター１９に供給する。テレビモニター１９は、駆動して、カメラ５で撮像された映像をモニター画面１９ａに表示する。テレビモニター１９、信号分解回路２８、映像処理回路２９およびモニター電源回路３０は、カメラ５で撮像された映像を表示するモニター手段を形成している。
【００４２】
なお、モニター画面１９ａに表示された逆光を有する映像の補正は、親機本体２３の前面２３ａに設けられている逆光補正ボタン２５の操作に応じて、信号分解回路２８および映像処理回路２９により行うようにしている。
【００４３】
そして、電源供給回路３２は、主制御回路２２など、各回路部に駆動電源を供給している。また、電源供給回路３２は、電源供給回路としての子機電源供給回路３３に直流電源を供給している。子機電源供給回路３３は、親機側端子Ｔ２を介して伝送線４に接続されており、電源供給回路３２からの直流電圧を調整して伝送線４に出力するように形成されている。また、電源供給回路３２は、親機本体２３の前面２３ａに設けられた電源モニター用の発光ダイオード（図示しない。）を接続しており、当該発光ダイオードを点灯させて、インターホン親機３が給電中であることを表示させている。
【００４４】
そして、ハンドセット２０は、音声を発音するスピーカ３４および音声を集音するマイクロホン３５を備えている。スピーカ３４およびマイクロホン３５は、通話回路３６に接続されている。通話回路３６は、マイクロホン３５で集音された音声を音声信号に変換して、伝送線４を介してインターホン子機２に伝送し、インターホン子機２のマイクロホン１１で集音された音声の音声信号をスピーカ３４で発音される発音信号に変換してスピーカ３４に送出するように構成されている。マイクロホン３５は、ハンドセット２０を持って通話している応対者（在宅者）の音声を集音し、スピーカ３４は、来訪者（訪問者）の音声を発音する。スピーカ３４、マイクロホン３５および通話回路３６は、来訪者との間で応対者が通話する通話手段を形成している。
【００４５】
ハンドセット２０は、親機本体２３の前面２３ａに着脱される。そして、親機本体２３にセット（装着）されたときにフックスイッチ２６を押下し、親機本体２３から取り外されたときにフックスイッチ２６を開放する。そして、フックスイッチ２６の押下および開放は、ハンドセット検出回路２１により検知される。
【００４６】
ハンドセット検出回路２１は、ハンドセット２０が親機本体２３から取り外されてフックスイッチ２６の開放を検知した後、ハンドセット２０が親機本体２３に装着されてフックスイッチ２６の押下を検知すると、応対者と来訪者との通話が終了したと判定し、当該通話の終了の検知信号を主制御回路２２に送出するように形成されている。
【００４７】
主制御回路２２は、タイマー回路を有してなり、ハンドセット検出回路２１から前記通話の終了の検知信号が送出されると、所定時間後に例えば３０秒後に子機電源供給回路３３に対して親機側端子Ｔ２を介して伝送線４に直流電源を供給することを停止させるように形成されている。
【００４８】
インターホン子機２の電源受電回路１６は、前記所定時間（例えば３０秒）が経過するまで伝送線４から直流電源が供給される。これにより、前記所定時間内において、点灯回路７は、光源（発光ダイオード）６を点灯させ、カメラ電源回路１７は、カメラ５を駆動させる。そして、前記所定時間が経過すると、電源受電回路１６に直流電圧が供給されなくなるので、光源６は消灯し、カメラ５は動作が停止する。主制御回路２２は、ハンドセット検出回路２１による前記通話の終了の検知に応じてインターホン子機２の光源６を所定時間（例えば３０秒）後に消灯させるように前記点灯制御手段を制御する主制御手段を形成している。
【００４９】
そして、呼出し検出回路３７が親機側端子Ｔ２および主制御回路２２に接続されている。呼出し検出回路３７は、インターホン子機２から伝送された呼出音の呼出信号を検出して主制御回路２２に送出するように形成されている。主制御回路２２は、当該呼出信号を拡声アンプ３８に送出してスピーカ２７から呼出音（例えばピンポーン）を数回に亘って発音させる。
【００５０】
そして、伝送線４は、インターホン子機２およびインターホン親機３を電気的に接続している。すなわち、インターホン親機３の子機電源供給回路３３から直流電圧をインターホン子機２に伝送している。また、インターホン子機２からの呼出信号および映像信号をインターホン親機３に伝送している。また、インターホン子機２およびインターホン親機３間の通話信号を伝送している。
【００５１】
次に、本発明の第１の実施形態の作用について説明する。
【００５２】
来訪者が呼出しボタン９を押圧すると、インターホン子機２からの呼出信号に応じてインターホン親機３のスピーカ２７から呼出音が発音される。そして、住戸内の応対者（在宅者）がハンドセット２０を親機本体２３から取り外すと、フックスイッチ２６が開放し、この開放をハンドセット検出回路２１が検出することにより当該取り外しが検出され、検出信号が主制御回路２２に入力される。
【００５３】
主制御回路２２は、前記検出信号が入力されると、子機電源供給回路３３から親機側端子Ｔ２を介して伝送線４に直流電圧を供給させる。これにより、インターホン子機２に伝送線４を介して直流電源が供給される。
【００５４】
インターホン子機２に供給された直流電源は、電源受電回路１６において受電される。制御回路１０は、ＳＷ回路１５を制御して電源受電回路１６から出力された直流電圧をカメラ電源回路１７に入力させる。これにより、カメラ５が駆動して、カメラ５は、インターホン子機２の前面側に位置する来訪者を撮像する。
【００５５】
また、制御回路１０は、光センサ８が検出した来訪者（インターホン子機２）の周囲の明るさが所定値以下であると、ＳＷ回路１５を制御して電源受電回路１６から出力された直流電圧を点灯回路７に入力させる。これにより、点灯回路７によって光源６，６が点灯され、光源６，６からの照明光が来訪者に照射される。そして、特に光源６Ａからの照明光が来訪者の顔面側に照射される。
【００５６】
カメラ５により撮像された映像は、映像信号でインターホン親機３のテレビモニター１９側に伝送される。そして、応対者が親機本体２３のモニターボタン２４をオンすると、モニター電源回路３０からテレビモニター１９に直流電圧が供給され、テレビモニター１９が駆動する。そして、モニター画面１９ａにカメラ５により撮像された来訪者の映像が表示される。このとき、来訪者は光源６，６からの照明光により照射されているので、モニター画面１９ａに来訪者が明確に表示される。特に光源６Ａからの照明光が来訪者の顔面側に向かって照射されているので、モニター画面１９ａに来訪者の顔面が明確に表示される。これにより、応対者は、モニター画面１９ａに表示された映像で来訪者を明確に確認することができる。
【００５７】
そして、インターホン親機３のハンドセット２０のマイクロホン３５およびスピーカ３４と、インターホン子機２のマイクロホン１１およびスピーカ１２との間で、来訪者と応対者の通話が行われる。そして、来訪者と応対者の通話が終了し、応対者がハンドセット２０を親機本体２３にセットすると、フックスイッチ２６が押圧され、この押圧がハンドセット検出回路２１により検出されることにより、来訪者と応対者との間での通話の終了が検知され、通話の終了の検出信号が主制御回路２２に送出される。
【００５８】
主制御回路２２は、前記通話の終了の検知信号が入力されると、タイマー回路を動作させ、所定時間例えば３０秒に亘って子機電源供給回路３３から直流電圧を伝送線４に出力させる。この所定期間内において、インターホン子機２の電源受電回路１６に直流電源が供給されるので、点灯回路７は光源６の点灯を継続し、カメラ５はインターホン子機２の周囲の撮像を継続する。
【００５９】
そして、来訪者が門や敷地外に向かって歩きインターホン子機２側から離れるときに、光源６，６からの照明光、特に来訪者に対して下向き方向に照射するように配置されている光源６Ｂからの照明光の一部が来訪者の足元側（地面側）を照明する。来訪者は、周囲が暗い状態であっても、照らされている足元側に気を配りながら歩行することができる。これにより、来訪者は、転倒などすることなく安全にインターホン子機２側から離れることができる。また、来訪者は、応対者との通話が終了しても自身を照明している光源６，６が消灯しないので、不快感などを生じることなくインターホン子機２側から離れることができる。
【００６０】
また、応対者は、モニター画面１９ａにより、通話終了後のインターホン子機２側での来訪者の存在の有無や来訪者の状態などを確認することができる。また、来訪者がインターホン子機２側から安全に離れていく状態を確認することができる。したがって、モニター画面１９ａを視認することによって、来訪者に対する安全性を向上させることができる。
【００６１】
そして、主制御回路２２は、所定時間（例えば３０秒）が経過すると、子機電源供給回路３３から伝送線４に直流電圧を出力させなくする。これにより、インターホン子機２の電源受電回路１６に直流電源が供給されなくなり、点灯回路７およびカメラ電源回路１７に直流電圧が供給されなくなって、光源６は消灯し、カメラ５による撮像が停止する。
【００６２】
このように、インターホン親機３の子機電源供給回路３３から伝送線４に直流電圧を出力させなくして、インターホン子機２に直流電源を供給停止することにより、所定時間後に光源６を消灯させ、カメラ５の駆動を停止させる構成となっている。インターホンシステム１は、当該構成が簡素に形成されている結果、安価に形成することができる。
【００６３】
なお、応対者は、来訪者との通話の終了後に、テレビモニター１９の表示画面１９ａに来訪者を表示させなくするには、親機本体２３のモニターボタン２４を再度押圧してオフする。主制御回路２２は、リレー接点３１を開路して、モニター電源回路３０に電源供給回路３２から直流電圧を供給させなくする。これにより、テレビモニター１９は駆動を停止し、表示画面１９ａに来訪者やインターホン子機２の周囲が表示されなくなる。
【００６４】
次に、本発明の第２の実施形態について説明する。
【００６５】
図３は、本発明の第２の実施形態を示すインターホンシステムの回路構成の概略ブロック図である。なお、図２と同一部分には同一符号を付して説明は省略する。
【００６６】
図３に示すインターホンシステム３９は、図２に示すインターホンシステム１において、インターホン子機２にさらに制御信号検出回路４０が設けられ、インターホン親機３にさらに制御信号送出回路４１がそれぞれ設けられ、インターホン子機４２およびインターホン親機４３が形成されている。また、インターホン子機４２において、制御回路１０は、点灯回路７に調光信号を送出し、点灯回路７は、当該調光信号に応じて光源６を調光点灯（例えば３０％点灯）するように形成されている。
【００６７】
インターホン親機４３において、主制御回路２２は、ハンドセット検知回路２１から来訪者および応対者による通話の終了の検出信号を入力すると、通話終了の制御信号を制御信号送出回路４１から伝送線４に伝送させる。
【００６８】
インターホン子機４２の制御信号検出回路４０は、伝送線４から通話終了の制御信号を検出して、制御回路１０に送出する。そして、制御回路１０は、当該制御信号が入力されると、点灯回路７に調光信号を送出する。点灯回路７は、当該調光信号に応じて光源６に印加する直流電圧を低下させ、光源６を全光点灯（１００％点灯）から調光点灯（例えば３０％点灯）させる。
【００６９】
このように、来訪者と応対者との間での通話が終了すると、光源６が調光点灯される。これにより、来訪者は、前記通話が終了しても自身を照明している光源６が継続して点灯していることに対する違和感や不快感などが抑制される。
【００７０】
そして、光源６が調光点灯されている照明光であっても、周囲が暗いので、来訪者は、当該照明光によって照らされている足元側に気を配りながら歩行することができる。これにより、来訪者は、転倒などすることなく安全にインターホン子機２側から離れることができる。
【００７１】
そして、インターホン親機４３において、前記通話の終了から所定時間（例えば３０秒）が経過すると、主制御回路２２は、子機電源供給回路３３から伝送線４に直流電圧を出力させなくする。これにより、インターホン子機２の電源受電回路１６に直流電源が供給されなくなり、点灯回路７およびカメラ電源回路１７に直流電圧が供給されなくなって、光源６は消灯し、カメラ５による撮像が停止する。
【００７２】
なお、主制御回路２２は、ハンドセット検知回路２１から通話の終了の検出信号を入力したときに、リレー接点３１を開路させ、インターホン子機４２の制御回路１０は、前記通話終了の制御信号を入力したときに、ＳＷ回路１５を制御して電源受電回路１６からカメラ電源回路１７に直流電圧を供給させなくしてもよい。これにより、カメラ５は、駆動が停止して撮像ができなくなり、モニターテレビ１９は、駆動が停止して表示画面１９ａに映像が表示されなくなる。
【００７３】
また、制御回路１０は、通話終了の制御信号が入力された後、所定時間（例えば３０秒）後にＳＷ回路１５を制御して電源受電回路１６から点灯回路７に直流電圧を供給させなくしてもよい。これにより、訪問者と応対者との通話の終了から所定時間後に光源６を消灯させることができる。この場合、インターホン親機４３の主制御回路２２は、前記所定時間の経過後に子機電源供給回路３３から伝送線４に直流電圧を供給させなくするとよい。
【図面の簡単な説明】
【００７４】
【図１】本発明の第１の実施形態を示すインターホンシステムの概略構成図。
【図２】同じく、インターホンシステムの回路構成の概略ブロック図。
【図３】本発明の第２の実施形態を示すインターホンシステムの回路構成の概略ブロック図。
【符号の説明】
【００７５】
１，３９…インターホンシステム
２，４２…インターホン子機
３，４３…インターホン親機
４…伝送線
１９…モニター手段を構成するテレビモニター
【図１】
2008011338.tif 000003
【図２】
2008011338.tif 000004
【図３】
2008011338.tif 000005